(57)【要約】【課題】  壁パネルの設置強度の低下がなくかつ投資額が少ない、更には組立の作業時間が短くまた取付けのための部品の点数が少ない、段部の幅が狭い浴室ユニット用防水パン等に適用される壁パネルを提供する。【解決手段】  横桟と縦桟とが矩形に組み合わされたパネル枠の、下方横桟の前面が下方に垂直に延設されて脚部とされ、該脚部が、垂直部と垂直部の下端から後方に曲折された水平部とからなる断面略Ｌ字形状の脚部とされ、前記垂直部の前面を含むパネル枠の前面にパネル表面材が固定され、上記垂直部の延設長さが、防水パンの立ち上がり部の高さと略同一とされ、下方横桟の下面の、前記水平部の先端位置から前記防水パンの立ち上がり部の厚み分だけパネル表面材から遠ざかった位置に、前記防水パンの立ち上がり部の外側に係る係止具が下方横桟と一体に垂設され、前記水平部の先端からパネル表面材の表面までの距離が前記防水パンの段部の幅と略等しくされている。【選択図】  図２
2005180036.tif 000002
【特許請求の範囲】
【請求項１】
周縁に、段部と段部側縁から上方に延設された立ち上がり部を有する防水パンの、前記段部に載置されて用いられる壁パネルであって、
横桟と縦桟とが矩形に組み合わされたパネル枠の、下方横桟の前面が下方に垂直に延設されて脚部とされ、該脚部が、垂直部と垂直部の下端から後方に曲折された水平部とからなる断面略Ｌ字形状の脚部とされ、前記垂直部の前面を含むパネル枠の前面にパネル表面材が固定され、上記垂直部の延設長さが、防水パンの立ち上がり部の高さと略同一とされ、下方横桟の下面の、前記水平部の先端位置から前記防水パンの立ち上がり部の厚み分だけパネル表面材から遠ざかった位置に、前記防水パンの立ち上がり部の外側に係る係止具が下方横桟と一体に垂設され、前記水平部の先端からパネル表面材の表面までの距離が前記防水パンの段部の幅と略等しくされていることを特徴とする壁パネル。
【発明の詳細な説明】
【技術分野】
【０００１】
本発明は、水切り用の段部の幅が狭い浴室用防水パンに適用される、浴室ユニットの壁パネルに関する。
【背景技術】
【０００２】
浴室ユニットは、床面に置かれた浴室用防水パンの上部の段部に壁パネルを取付け、その上に浴室用天井パネルが設けられるものである。この浴室ユニットに用いられる壁パネルは、段部に直接載せられて取り付けられるものである。
【０００３】
浴室ユニットに用いられる壁パネルとしては、「周縁に段部と段部側縁から上方に縁設された立上部を有する防水パンの前記段部に壁パネルを載置し、該壁パネルを取付け金具を介し前記防水パンに取り付ける浴室ユニット用の壁パネルの取付け構造であって、前記取付け金具は、一端に壁パネルを固定する固定部と、他端に防水パンの立上部を挟持する挟持部と固定部と挟持部の間に湾曲部とを有した板片からなり、前記取付け金具の固定部を壁パネルの下端に固定した状態で、取付け金具の挟持部と壁パネルで防水パンの立上部を挟んで、前記壁パネルが前記防水パンに取り付けられていることを特徴とする浴室ユニット用の壁パネルの取付け構造」に用いられる壁パネルが知られている（例えば、特許文献１参照。）。
【０００４】
図３は、従来の壁パネルが防水パンに取り付けられた一例の取付部の断面図である。壁パネルＫは、横桟Ｙの一方の面に壁パネル表面材Ｓが設けられ、縦桟Ｈに取付け金具Ｇが取り付けられている。
【０００５】
壁パネルＫの取付け金具Ｇを除いた厚さは防水パンＢの段部Ｍの幅と同じとされ、壁パネルの表面材Ｓの下端は横桟Ｙの下端と一致するようにされている。
【０００６】
壁パネルＫは防水パンＢの段部Ｍに、止水ゴム又は発泡体等のパッキンＰを介して載せられ、表面材Ｈと防水パンＢとの間をシリコンコーキング剤Ｃ等でシールされる。取付け金具Ｇは、防水パンＢの段部Ｍから立ち上げられた立ち上がり部Ｔの外側に引っ掛けられ、壁パネルＫが段部Ｍからずれて動かないように支保している。
【０００７】
ところで、近年、浴室ユニットの設置平面積を同じにしてしかも浴室ユニットの内寸を広くするために、段部の幅が狭い浴室ユニット用防水パンが用いられることが増えている。即ち、従来の防水パンは段部の幅が約２５ｍｍ〜３０ｍｍ程度であったものが、上記目的を達成するために段部の幅が約１５ｍｍ程度のいわゆるスリムタイプの防水パン（以下、スリム防水パンという。）とされるようになっている。従って、従来の、総厚さが２５ｍｍ〜３０ｍｍとされた壁パネルは、スリム防水パンの段部の上には、従来と同じ方法で載せることができない。
【０００８】
これを解決する方法の一つとして、スリム防水パンの段部に載置可能な厚さの壁パネルを新規に作成すれば良いのであるが、特許文献１記載の浴室ユニット用の壁パネルの取付け構造に用いられる壁パネルでは、壁パネルを構成する全ての桟材を、スリム防水パンに合わせて細く或いは薄くして新たに製作しなければならず、製作のための新規な製造型等に大きな投資が必要となる。また、壁パネル自体の厚さが薄くなるために、その強度又は浴室ユニット組立品での強度が低下するリスクが発生するという問題点がある。
【０００９】
更に、組立の作業時間が多くかかり、また、取付けのための部品の点数が多くなるという問題点もある。
【特許文献１】特開２００２−７０２１５号公報（第２〜３頁、第１〜３図）
【発明の開示】
【発明が解決しようとする課題】
【００１０】
本発明は上記従来の技術が有する課題を解決し、壁パネルの設置強度の低下がなくかつ投資額が少ない、更には組立の作業時間が短くまた取付けのための部品の点数が少ない、段部の幅が狭い浴室ユニット用防水パン等に適用される壁パネルを提供する目的で行われたものである。
【課題を解決するための手段】
【００１１】
本発明の請求項１記載の壁パネルは、周縁に、段部と段部側縁から上方に延設された立ち上がり部を有する防水パンの、前記段部に載置されて用いられる壁パネルであって、横桟と縦桟とが矩形に組み合わされたパネル枠の、下方横桟の前面が下方に垂直に延設されて脚部とされ、該脚部が、垂直部と垂直部の下端から後方に曲折された水平部とからなる断面略Ｌ字形状の脚部とされ、前記垂直部の前面を含むパネル枠の前面にパネル表面材が固定され、上記垂直部の延設長さが、防水パンの立ち上がり部の高さと略同一とされ、下方横桟の下面の、前記水平部の先端位置から前記防水パンの立ち上がり部の厚み分だけパネル表面材から遠ざかった位置に、前記防水パンの立ち上がり部の外側に係る係止具が下方横桟と一体に垂設され、前記水平部の先端からパネル表面材の表面までの距離が前記防水パンの段部の幅と略等しくされていることを特徴とする。
【００１２】
下方横桟は、その前面が下方に延出した脚部とされており、脚部が垂直部と垂直部の下端から後方に曲折された水平部とからなる断面略Ｌ字形状の脚部とされ、垂直部の延設長さが防水パンの立ち上がり部の高さと略同一とされ、水平部の先端からパネル表面材の表面までの距離が前記防水パンの段部の幅と略等しくされている。パネル表面材は、垂直部の前面を含むパネル全前面に固定される。
【００１３】
脚部の垂直部の延設長さは、防水パンの立ち上がり部の高さと略同一とされ、壁パネルを段部に載せる時に、水平部を段部に載せると下方横桟の下面が立ち上がり部の上端部位置と同じか僅かに上方に位置するようになる。
【００１４】
脚部の水平部は、パネル表面材の厚さと合わせて、スリム防水パンの段部に載る寸法とされている。従って、下方横桟の係止具でスリム防水パンの立ち上がり部を挟んで壁パネルを設置すれば、脚部の水平部が立ち上がり部に引き寄せられて接触し、壁パネルはぐら付くことなく配置される。
【００１５】
下方横桟の下面の、水平部の先端位置から防水パンの立ち上がり部の厚み分だけパネル表面材から遠ざかった位置に、防水パンの立ち上がり部の外側に係止される係止具が下方横桟と一体に垂設される。水平部の先端と係止具とで防水パンの立ち上がり部を挟み、壁パネルを位置決めして固定すると共にその表面が浴室内に出ないようにする機能を有する。従って、係止具は、それ自体弾性を有する材料であると共に、板ばねとして機能するように曲げ加工されることが好ましい。
【００１６】
段幅がこの壁パネルの厚さより狭い幅の段部にこの壁パネルを組み立てた時は、パネル下端部の平板部が段部に載り、下方横桟の下面は立ち上がり部と接して又は上方で、立ち上がり部より外側裏面向きにとび出た状態となる。即ち、壁パネル全体は、狭い段部に載って全体が立ち上がり部より裏面側に出た状態で配置されることになる。裏面に出る高さは、防水パンの立ち上がり部の厚さにより変化する。厚さが薄い場合は出る高さは大きくなり、厚い場合は少しとなる。
【００１７】
壁パネルのパネル枠は、横桟と縦桟が、その材料に合わせて溶接、接着、嵌合等の手段で組み合わされたものである。横桟と縦桟とは、ステンレススチール、防食加工された鉄、アルミニウム等の金属類；ＦＲＰ（繊維強化熱硬化性樹脂）類等であれば特に限定されない。
【００１８】
縦桟及び横桟の形状は、少なくとも表面材が貼れる平面を有し、かつ軽量で曲げ難い又は捻れ難い構造とされれば良く、特に限定した形状はない。例えば、中空角材パイプ形状、Ｌ字形、Ｃ字形、Ｈ字形、Ｉ字形等の型材であっても良い。
【００１９】
パネル表面材とパネル枠との固定は、耐水性を有する接着剤で接着固定される。例えば、耐水性エポキシ系接着剤、ウレタン系接着剤などが挙げられる。
【００２０】
段部に載せられた壁パネルと段部との隙間には、例えばシリコンコーキング剤等の止水兼接着剤が塗布充填され、壁パネルの固定と接合部からの止水とが行われる。また、壁パネルは、その下端面を天然ゴム、合成ゴム等の水密材を介して段部の上面に載せられても良い。この場合であれば止水性能が更に向上する。
【００２１】
壁パネルの裏面側には、裏打ち材として、石膏ボード等が貼ってあっても良い。この裏打ち材は、耐湿性を向上して桟材料の腐食進行が遅くなると共に、壁パネルの曲がりやねじれの防止に役立つ。
【００２２】
壁パネル同士の接続方法は、従来の壁パネル同士の接続方法をそのまま踏襲すれば良い。たとえば、縦桟がその側面に、上端から下端にかけて連通するスリットが設けられた中空の型材であれば、特開平９−３１７０６２号公報や特開平１０−８６０５号公報にて開示されている合成樹脂又は金属製のジョイントピースを用いて、パネル同士を連結すればよい。
【発明の効果】
【００２３】
本発明の壁パネルは、パネル枠の下方横桟の前面が下方に垂直に延設されて脚部とされ、該脚部が垂直部と垂直部の下端から後方に曲折された水平部とからなる断面略Ｌ字形状の脚部とされ、前記垂直部の前面を含むパネル枠の前面にパネル表面材が固定され、上記垂直部の延設長さが防水パンの立ち上がり部の高さと略同一とされ、下方横桟の下面の、前記水平部の先端位置から前記防水パンの立ち上がり部の厚み分だけパネル表面材から遠ざかった位置に、前記防水パンの立ち上がり部の外側に係る係止具が下方横桟と一体に垂設され、前記水平部の先端からパネル表面材の表面までの距離が前記防水パンの段部の幅と略等しくされている。従って、段幅がこの壁パネルの厚さより狭い幅の段部にこの壁パネルを組み立てた時は、パネル下端部の平板部が段部に載り、係止具が壁パネルを引き寄せ、平板部先端が防止パンの立ち上がり部に接触して、立ち上がり部を挟み込む。従って、設置手間が掛からずしかもぐら付くことなく設置でき、設置強度の低下がない。
【００２４】
下方横桟のみについて新たに金型を製作すればよく、その他の縦桟や横桟、パネル表面材等は従来品をそのまま適用でき、しかも壁パネルの厚さが従来品と同じであるので、壁パネルの強度の低下がなくかつ投資額が少ない。更には、組立の作業時間が短くまた取付けのための部品の点数が少なく、段部の幅が狭い浴室ユニット用のスリム防水パンに適用できる壁パネルとなるのである。
【発明を実施するための最良の形態】
【００２５】
次に図面を参照して本発明の壁パネルを説明する。図１は本発明の壁パネルの一部切り欠き正面図である。図２は図１の壁パネルをスリム防水パンの段部に載置して取り付けた状態を示す要部断面図である。
【実施例１】
【００２６】
壁パネル１は、上方横桟３１及び下方横桟３２と両縦桟５１、５２及び両縦桟５１、５２にかけて３本の補強横桟３３１、３３２、３３３が設けられた外寸約１９ｍｍの矩形のパネル枠上に、パネル表面材２１として厚さ約５ｍｍの珪酸カルシウム板を、厚さ約１ｍｍの耐水性エポキシ系接着剤で固定し、総厚さ約２５ｍｍの壁パネル１としたものである。即ち、本発明の壁パネル１は、従来の壁パネルの下部に、特殊形状の下方横桟３２を取り付けた形状と見なすことができる。
【００２７】
下方横桟３２は、前面が下方に約３０ｍｍ垂直に延出した断面略Ｌ字形状の脚部４とされている。脚部４は垂直部４１と、この垂直部４１の下端からスリム防水パン８の立ち上がり部１０側に９０度曲折された水平部４２とから構成されている。そして、垂直部４１の長さは約３０ｍｍ、水平部４２の長さはスリム防水パン８の段部９に載る寸法、約１５ｍｍとされている。つまり、垂直部４１の長さは、スリム防水パン８の立ち上がり部１０の高さと略等しくされ、一方、水平部４２の長さは、スリム防水パン８の段部９の幅からパネル表面材２１の厚みと接着剤層の厚みを差し引いた長さと略等しくされている。パネル係止具６は、下方横桟３２の下側に、下方横桟３２と一体に押出成形されて形成されている。パネル表面材２１は脚部４を含んだパネル枠の前面に固定されている。
【００２８】
本例においては、パネル枠はアルミニウムを断面略Ｃ字形状に押し出して成形したものである。上方横桟３１、両縦桟５１、５２及び３本の補強横桟３３１、３３２、３３３は従来品と同じものである。下方横桟３２のみは、新たに金型を作成して押し出したものである。
【００２９】
スリム防水パン８は段部９の幅が約１５ｍｍであり、立ち上がり部１０の立ち上がり高さは約３０ｍｍ、立ち上がり部１０の厚さは約５ｍｍである。従って壁パネル１の表面材２１の浴室内側表面と、防水パン８の室内側表面８１とを面一とすると、壁パネル１は総厚さが約２５ｍｍであるから、その裏側は防水パンの立ち上がり部１０の裏側から約５ｍｍ裏面に出ることになる。従って、パネル係止具６は、パネル表面材の表面から約２０ｍｍの位置に設けられている。
【００３０】
壁パネル１の水平部４２と段部９の上面との間に挟まれるパッキン７は、本例では厚さ約３ｍｍの発泡ポリエチレン製パッキンを用いてあるが、耐水性と水密性が得られれば、これに限らないことはいうまでもない。
【００３１】
なお、図示してないが、本発明では、横桟の中にポリエチレン製のジョイントピースを埋設して先端を突出させ、隣接する壁パネルのこれに対応する横桟に上記ジョイントピースを受ける受け具を埋設してこれらで連結するようにしてある。
【００３２】
次に、この壁パネル１を、スリム防水パン８に組み込む手順を説明する。まず、防水パン８の段部９の上面に防水パン８の前面から浴室内側に出ないようにパッキン７を置く。
【００３３】
続いて壁パネル１を、そのパネル表面材２１の前面が防水パン８の前面８１と一致するように、脚部４の水平部４２でパッキン７を挟んで防水パン８の段部９上面に載置する。垂直部４１の突出長さは、下方横桟２２の下面と防水パン８の段部９上面との距離と略同じであるから、下方横桟２２の下面と防水パン８の立ち上がり部１０の上端部とは、防水パッキン７の厚さだけ隙間ができることになる。この時、パネル係止具６は、立ち上がり部１０の裏側に配置され、壁パネル１を立ち上がり部１０側に引き寄せるよう機能する。
【００３４】
壁パネル１の横に次の壁パネル（図示せず）を設けたり、コーナー部で壁パネル同士を連結したりする方法は、従来の壁パネルの組立と同じ方法で、ジョイントピース（図示せず）を用いて接続して互いに固定すればよく、パッキン７を防水パン８の段部９面上に置き、水平部４２をその上に載せてパネル係止具６で防水パン８の立ち上がり部９を挟持することは同じ手順で行われれば良い。
【００３５】
すべての壁パネル１を組み立てたら、壁パネル１の浴室内側表面２１と防水パン８の室内側表面８１との隙間及び壁パネル同士の突き合わせ部にシリコン等のシーラント１１を塗布し、止水と共にこれらを接合する。
【図面の簡単な説明】
【００３６】
【図１】本発明の壁パネルの一部切り欠き正面図である。
【図２】図１の壁パネルをスリム防水パンに取り付けた状態を示す要部断面図である。
【図３】従来の壁パネルを防水パンに取り付けた状態を示す要部断面図である。
【符号の説明】
【００３７】
１  壁パネル
２  パネル表面材
３１  上方横桟
３２  下方横桟
３３１〜３３３  補強横桟
４  脚部
４１  垂直部
４２  水平部
５１、５２  縦桟
６  パネル係止具
７  パッキン
８  防水パン
８１  防水パンの浴室内側表面
９  段部
１０  立ち上がり部
１１  シーラント
【図１】
2005180036.tif 000003
【図２】
2005180036.tif 000004
【図３】
2005180036.tif 000005